(57)【要約】【課題】美容装置において、皮膚の特定部分を重点的に加熱することにある。【解決手段】ＲＦ電極２１ａ及びＲＦ電極２１ｃを結ぶ線分２８と、ＲＦ電極２１ｂ及びＲＦ電極２１ｄを結ぶ線分２９とがそれぞれ中点において交わる位置に各ＲＦ電極２１ａ〜２１ｄは配置されている。また、両線分２８，２９の長さは等しい。従って、電流が流れる経路２６，２７は最大深さＬにおいて交わる。これにより、最大深さＬの周辺に加熱領域３１，３２が重複する重複領域３４が形成される。従って、重複領域３４において皮膚の比較的深い特定の部位、すなわち、真皮及び皮下脂肪を重点的に加熱することができ、より迅速に美容効果が得られる。【選択図】図４
2011194177.tif 000002
【特許請求の範囲】
【請求項１】
皮膚との接触を介して皮膚に電流を供給する２つで１組の複数組にて構成される電極を備え、
前記各組の電極は、前記各組の２つの電極間に流れる電流を通じた皮膚の加熱により形成される加熱領域が重複する位置に配置される美容装置。
【請求項２】
請求項１に記載の美容装置において、
前記各組の電極は、前記各組の２つの電極間を結ぶ線分が互いに交わる位置に配置される美容装置。
【請求項３】
請求項２に記載の美容装置において、
前記各組の電極は、前記各線分がそれらの中点で互いに交わる位置に配置される美容装置。
【請求項４】
請求項１に記載の美容装置において、
第１の組を構成する一方の電極と、第２の組を構成する一方の電極とが共有される美容装置。
【請求項５】
請求項１〜４の何れか一項に記載の美容装置において、
前記各組の電極は、互いに対面する平面上に設けられる美容装置。
【請求項６】
請求項１〜４の何れか一項に記載の美容装置において、
前記各組の電極は同一平面上に設けられる美容装置。
【発明の詳細な説明】
【技術分野】
【０００１】
この発明は、美容装置に関する。
【背景技術】
【０００２】
従来、低周波電流又は高周波電流を肌に供給する美容装置が知られている。この美容装置は、低周波電流又は高周波電流によって筋肉に刺激を与えたり皮膚を適当な温度まで加熱したりすることで肌を引き締める美容効果がある。
【０００３】
美容装置として、例えば、特許文献１に記載の構成が公知である。具体的には、図１１に示すように、美容装置における肌に接触させる面には一対の電極１０１，１０２が埋め込まれている。両電極１０１，１０２に皮膚が接触した状態において、両電極１０１，１０２に低周波電流が供給されると、体内に電流が流れる。このときの電流の経路は、両電極１０１，１０２の下面を結ぶ線分を底辺とする略半円状となる。
【０００４】
また、例えば、特許文献２に示される美容装置においては、両電極１０１，１０２間に高周波電流が供給される。高周波電流は、上記低周波電流に比べて、体内において電流の達する最大深さは小さくなるものの、電流の経路は上記低周波電流と同様となる。高周波電流を皮膚に供給することで、皮膚内における電流の経路に沿った領域を加熱することができる。
【先行技術文献】
【特許文献】
【０００５】
【特許文献１】特開平９−１５４９１０号公報
【特許文献２】特表２００１−５２３５１３号公報
【発明の概要】
【発明が解決しようとする課題】
【０００６】
上記のように、皮膚は電流の経路に沿って加熱される。ここで、皮膚の比較的深い部分（真皮、皮下脂肪）を重点的に加熱することで、効率よく真皮のコラーゲンや皮下脂肪を収縮させて肌を引き締めることができる。また、肌の状態に応じて改善すべき部分を重点的に加熱することで、美容効果を高めることができる。しかし、このように局所的に加熱したい場合であっても、加熱領域は電流の経路に沿って決まるため、皮膚の特定部分について重点的に加熱することはできなかった。
【０００７】
この発明は、こうした実情に鑑みてなされたものであり、その目的は、皮膚の特定部分を重点的に加熱することができる美容装置を提供することにある。
【課題を解決するための手段】
【０００８】
以下、上記目的を達成するための手段について説明する。
第１の発明は、皮膚との接触を介して皮膚に電流を供給する２つで１組の複数組にて構成される電極を備え、前記各組の電極は、前記各組の２つの電極間に流れる電流を通じた皮膚の加熱により形成される加熱領域が重複する位置に配置されることをその要旨としている。
【０００９】
第２の発明においては、前記各組の電極は、前記各組の２つの電極間を結ぶ線分が互いに交わる位置に配置されることをその要旨としている。
第３の発明においては、前記各組の電極は、前記各線分がそれらの中点で互いに交わる位置に配置されることをその要旨としている。
【００１０】
第４の発明は、第１の組を構成する一方の電極と、第２の組を構成する一方の電極とが共有されることをその要旨としている。
第５の発明においては、前記各組の電極は、互いに対面する平面上に設けられることをその要旨としている。
【００１１】
第６の発明においては、前記各組の電極は同一平面上に設けられることをその要旨としている。
【発明の効果】
【００１２】
本発明によれば、美容装置において、皮膚の特定部分を重点的に加熱することができる。
【図面の簡単な説明】
【００１３】
【図１】第１の実施形態における美容装置の構成図。
【図２】第１の実施形態における美容装置の内部構成を示した断面図。
【図３】第１の実施形態における美容装置の下面図。
【図４】第１の実施形態における電流の経路、並びに加熱及び重複領域を示した説明図。
【図５】第２の実施形態における美容装置の下面図。
【図６】第２の実施形態における電流の経路、並びに加熱領域を示した説明図。
【図７】図５のＡ−Ａ線断面図。
【図８】第３の実施形態における美容装置の内部構成を示した断面図。
【図９】第３の実施形態における電極が配置される絶縁板の斜視図。
【図１０】図８のＢ−Ｂ線断面図。
【図１１】従来の美容装置における電流の経路を示した説明図。
【発明を実施するための形態】
【００１４】
（第１の実施形態）
以下、本発明にかかる美容装置を具体化した第１の実施形態について図１〜図４を参照して説明する。
【００１５】
図１に示すように、美容装置は、制御装置１１と、ＲＦ（Radio  Frequency）発信機１５と、４つのＲＦ電極２１ａ〜２１ｄと、電源スイッチ１６とを備えてなる。電源スイッチ１６が操作されると、その旨の操作信号が制御装置１１に出力される。制御装置１１は、操作信号を受けると、ＲＦ発信機１５に制御信号を出力する。ＲＦ発信機１５は、例えば、図示しないバッテリ（内部電源）からの直流電流を高周波電流（交流電流）に変換するインバータを備える。ＲＦ発信機１５は、制御信号に基づき変換した高周波電流をＲＦ電極２１ａ〜２１ｄへ供給する。詳しくは、ＲＦ電極２１ａ〜２１ｄは、ＲＦ電極２１ａ及びＲＦ電極２１ｃの組み合わせと、ＲＦ電極２１ｂ及びＲＦ電極２１ｄの組み合わせとからなる。制御装置１１は、ＲＦ発信機１５を介して両組に交互に高周波電流を供給する。
【００１６】
ＲＦ電極２１ａ〜２１ｄが肌に当てられたとき、皮膚がＲＦ電極２１ａ〜２１ｄ間を接続する電気的抵抗となる。これにより、ＲＦ発信機１５及び各組のＲＦ電極２１ａ〜２１ｄを備えた回路が電気的に閉じて、同回路に高周波電流が流れる。この回路の経路、詳しくは各組のＲＦ電極２１ａ〜２１ｄ間には皮膚が存在するため、皮膚に高周波電流を供給することができる。ここで、皮膚は電気的抵抗として作用する。従って、皮膚にて電気エネルギが熱エネルギとして消費されるため、皮膚が加熱されて血行の促進を図ることができる。制御装置１１は、電源スイッチ１６からの操作信号を再び受けると、ＲＦ発信機１５を介したＲＦ電極２１ａ〜２１ｄへの高周波電流の供給を停止する。
【００１７】
図２に示すように、美容装置の外形をなす樹脂製のハウジング３０の底部には絶縁板３３が嵌め込まれている。この絶縁板３３の外面にはＲＦ電極２１ａ〜２１ｄが設けられている。各ＲＦ電極２１ａ〜２１ｄには導線３８が接続されている。この導線３８は、絶縁板３３を厚さ方向に貫通するとともに、ハウジング３０の内部のＲＦ発信機１５に接続されている。また、ハウジング３０には、電源スイッチ１６が取り付けられている。
【００１８】
図３に示すように、ＲＦ電極２１ａ〜２１ｄは、絶縁板３３の外面の周縁部に、当該面の中央を中心として９０度間隔で配置されている。具体的には、ＲＦ電極２１ａ及びＲＦ電極２１ｃを結ぶ線分２８と、ＲＦ電極２１ｂ及びＲＦ電極２１ｄを結ぶ線分２９とがそれぞれの線分の中点にて直角に交わるようにＲＦ電極２１ａ〜２１ｄが配置されている。また、各ＲＦ電極２１ａ〜２１ｄは同一品であり、両線分２８，２９の長さは等しい。
【００１９】
次に、ＲＦ電極２１ａ〜２１ｄによる加熱領域について図４を参照しつつ説明する。なお、図４においては、ＲＦ電極２１ａ〜２１ｄ以外の美容装置の構成は省略して図示している。
【００２０】
上述のように、ＲＦ電極２１ａ及びＲＦ電極２１ｃの組み合わせ、及びＲＦ電極２１ｂ及びＲＦ電極２１ｄの組み合わせに交互に高周波電流が供給される。このとき、皮膚に流れる電流の経路２６，２７は、図４に示すように、線分２８，２９を底辺とする略半円弧状となる。すなわち、ＲＦ電極２１ａ及びＲＦ電極２１ｃの組み合わせに供給される高周波電流は経路２６に沿って流れる。また、ＲＦ電極２１ｂ及びＲＦ電極２１ｄの組み合わせに供給される高周波電流は経路２７に沿って流れる。
【００２１】
ここで、皮膚内における電流が到達する最大深さＬは、ＲＦ電極間の距離に応じて決まる。本例では、ＲＦ電極間の距離、すなわち、両線分２８，２９の長さは等しいため、各組に供給される電力が同一であれば、最大深さＬも等しくなる（第１の条件）。また、ＲＦ電極２１ａ及びＲＦ電極２１ｃを結ぶ線分２８と、ＲＦ電極２１ｂ及びＲＦ電極２１ｄを結ぶ線分２９とがそれぞれの線分の中点にて交わっている。よって、電流の経路２６，２７における電流が到達する最大深さＬの位置は、肌の表面に対する垂直方向からみて一致する（第２の条件）。従って、上記２つの条件から両経路２６，２７は最大深さＬにおいて交わる。
【００２２】
上述のように、電流が流れることにより皮膚は加熱されるため、これら電流の経路２６，２７を中心としてその周辺に加熱領域３１，３２が形成される。従って、経路２６，２７が交わる位置（最大深さＬ）を中心として加熱領域３１，３２が重複する重複領域３４が形成される。
【００２３】
重複領域３４においては、経路２６，２７に流れる両電流にて加熱されるため、加熱領域３１，３２の重複領域３４を除く部分に比べて加熱量を増大させることができる。また、重複領域３４は最大深さＬ付近に形成される。これにより、皮膚の比較的深い特定の部分（真皮、皮下脂肪）を重点的に加熱することができる。従って、より短い時間で、真皮のコラーゲンや皮下脂肪を収縮させて肌を引き締める美容効果が得られる。
【００２４】
以上、説明した実施形態によれば、以下の作用効果を奏することができる。
（１）ＲＦ電極２１ａ及びＲＦ電極２１ｃを結ぶ線分２８と、ＲＦ電極２１ｂ及びＲＦ電極２１ｄを結ぶ線分２９とがそれぞれ中点において交わる位置に各ＲＦ電極２１ａ〜２１ｄは配置されている。また、両線分２８，２９の長さは等しい。従って、電流が流れる経路２６，２７は最大深さＬにおいて交わる。これにより、最大深さＬの周辺に加熱領域３１，３２が重複する重複領域３４が形成される。従って、重複領域３４において皮膚の比較的深い特定の部位、すなわち、真皮及び皮下脂肪を重点的に加熱することができ、より迅速に美容効果が得られる。
【００２５】
（２）ＲＦ電極２１ａ〜２１ｄは絶縁板３３において同一平面上に設けられている。従って、頬等の略平面状の皮膚に高周波電流を供給するのに適している。
また、同一平面上にＲＦ電極を配置した場合、ＲＦ電極間の距離に応じて皮膚内における電流が到達する最大深さＬが決まる。従って、ＲＦ電極間の距離を変えるだけで、各組のＲＦ電極間の電流が到達する最大深さＬ、ひいては重複領域３４を真皮若しくは皮下脂肪の周辺に設定することができる。
【００２６】
（第２の実施形態）
以下、本発明にかかる美容装置を具体化した第２の実施形態について、図５及び図６を参照して説明する。この実施形態の美容装置は、図１に示す第１の実施形態の美容装置とほぼ同様の構成を備え、ＲＦ電極の数やそれらの配置態様が上記第１の実施形態と異なっている。以下、第１の実施形態との相違点を中心に説明する。
【００２７】
本実施形態における美容装置は、３つのＲＦ電極４１ａ〜４１ｃを備えている。図５に示すように、各ＲＦ電極４１ａ〜４１ｃは絶縁板３３の外面の周縁部に配設されている。具体的には、ＲＦ電極４１ｂは絶縁板３３の外面の右側縁部に設置され、ＲＦ電極４１ａ，４１ｃは絶縁板３３の面の左側縁部に設置されている。ＲＦ電極４１ｂは、ＲＦ電極４１ａ，４１ｃを結ぶ線分４５の中点に対応する位置に設けられている。すなわち、各ＲＦ電極４１ａ〜４１ｃ（正確には、それらの中心）を線分で結ぶことで二等辺三角形が形成される。この二等辺三角形は、線分４５を底辺として、ＲＦ電極４１ａ及びＲＦ電極４１ｂを結ぶ線分４６と、ＲＦ電極４１ｂ及びＲＦ電極４１ｃを結ぶ線分４７とからなる。両線分４６，４７は長さが等しい。
【００２８】
ＲＦ電極４１ａ〜４１ｃは、ＲＦ電極４１ａ及びＲＦ電極４１ｂの組み合わせと、ＲＦ電極４１ｂ及びＲＦ電極４１ｃの組み合わせとからなる。すなわち、ＲＦ電極４１ｂは、異なるＲＦ電極４１ａ，４１ｃとの間で２つの組を構成する。制御装置１１は、ＲＦ発信機１５を介して両組に交互に高周波電流を供給する。
【００２９】
図６に示すように、皮膚に流れる電流の経路４８，４９は、線分４６，４７を底辺とする略半円弧状となる。すなわち、ＲＦ電極４１ａ及びＲＦ電極４１ｂの組み合わせに供給される高周波電流は経路４８に沿って流れる。また、ＲＦ電極４１ｂ及びＲＦ電極４１ｃの組み合わせに供給される高周波電流は経路４９に沿って流れる。
【００３０】
第１の実施形態と同様に、両線分４６，４７の長さは等しいため、各組に供給される電力が同一であれば、電流の経路４８，４９の最大深さＬも等しくなる。これら電流の経路４８，４９を中心としてその周辺に加熱領域５１，５２が形成される。これら加熱領域５１，５２は、図７に示すように、最大深さＬにおいて重複して重複領域５３を形成する。この重複領域５３は、線分４６と線分４７がなす角度が小さくなるにつれて大きくなる。従って、最大深さＬにおいて重複領域５３が形成される程度に、線分４６と線分４７がなす角度は設定される。なお、この重複領域５３は、最大深さＬの周辺のみならず、経路４８，４９間における最大深さＬからＲＦ電極４１ｂ側に形成される。
【００３１】
重複領域５３においては、経路４８，４９に流れる両電流にて加熱されるため、加熱量を増大させることができる。また、重複領域５３は最大深さＬ付近に形成される。これにより、皮膚の比較的深い特定部分（真皮、皮下脂肪）を重点的に加熱することができる。すなわち、皮膚の比較的浅い部分（表皮等）の過剰な加熱を抑制することができる。従って、より短い時間で、真皮のコラーゲンや皮下脂肪を収縮させて肌を引き締める美容効果が得られる。
【００３２】
以上、説明した実施形態によれば、第１の実施形態の（２）の作用効果に加え、以下の作用効果を奏することができる。
（３）美容装置は３つのＲＦ電極４１ａ〜４１ｃを備え、ＲＦ電極４１ｂは各ＲＦ電極４１ａ，４１ｃとの間で２つの組を構成する。そして、ＲＦ電極４１ａ及びＲＦ電極４１ｂ間に供給される電流により形成される加熱領域５１と、ＲＦ電極４１ｂ及びＲＦ電極４１ｃ間に供給される電流により形成される加熱領域５２とが重複した重複領域５３が最大深さＬ付近に形成される。換言すると、重複領域５３が最大深さＬ付近に形成される程度に、線分４６と線分４７がなす角度を小さくする。これにより、ＲＦ電極を３つで構成した場合であっても、重複領域５３を最大深さＬ付近に形成することができる。従って、重複領域５３において皮膚の比較的深い真皮及び皮下脂肪等の特定部位を重点的に加熱することができ、より迅速に美容効果が得られる。
【００３３】
（第３の実施形態）
以下、本発明にかかる美容装置を具体化した第３の実施形態について説明する。この実施形態の美容装置は、図１に示す第１の実施形態の美容装置とほぼ同様の構成を備え、絶縁板の形状等が上記第１の実施形態と異なっている。以下、第１の実施形態との相違点を中心に説明する。
【００３４】
本実施形態における美容装置では、図９に示すように、絶縁板６５がＵ字状に湾曲して形成されている。絶縁板６５は、図８に示すように、ハウジング３０の底部に下側に開口した状態で固定されている。絶縁板６５は、弾性材で弾性変形可能に形成されている。また、絶縁板６５の開口幅は、例えば鼻等の施術対象部位よりも小さく設定されている。
【００３５】
絶縁板６５の内面において互いに対面する位置には、４つのＲＦ電極６１ａ〜６１ｄが埋め込まれている。詳しくは、図９に示すように、絶縁板６５の右側の内面における端部には、絶縁板６５の幅方向に２つのＲＦ電極６１ａ，６１ｂが配列され、絶縁板６５の左側の内面における端部には、絶縁板６５の幅方向に２つのＲＦ電極６１ｃ，６１ｄが配列されている。
【００３６】
ＲＦ電極６１ａ〜６１ｄは、ＲＦ電極６１ａ及びＲＦ電極６１ｄの組み合わせと、ＲＦ電極６１ｂ及びＲＦ電極６１ｃの組み合わせとからなる。ＲＦ電極６１ａ〜６１ｄは、ＲＦ電極６１ａ及びＲＦ電極６１ｄを結ぶ線分６２と、ＲＦ電極６１ｂ及びＲＦ電極６１ｃを結ぶ線分６３とがそれぞれの線分の中点にて交わる位置に配置されている。なお、両線分６２，６３の長さは等しい。
【００３７】
上記のように構成される美容装置において、鼻等を絶縁板６５内に進入させた場合には、絶縁板６５は外側に弾性変形しつつ、ＲＦ電極６１ａ〜６１ｄが皮膚に適度な押圧力を持って接触した状態となる。この状態において、制御装置１１は、ＲＦ発信機１５を介して２つの組に交互に高周波電流を供給する。このとき、図１０に示すように、線分６２，６３に沿って電流が流れる。すなわち、ＲＦ電極６１ａ及びＲＦ電極６１ｄの組み合わせに供給される高周波電流は線分６２に沿って流れ、ＲＦ電極６１ｂ及びＲＦ電極６１ｃの組み合わせに供給される高周波電流は線分６３に沿って流れる。従って、線分６２，６３の周辺には加熱領域６６，６７が形成される。これら加熱領域６６，６７は、両線分６２，６３が交わる点を中心に重複して重複領域６８を形成する。重複領域６８においては、両組の電極間の電流にて加熱されるため、加熱領域６６，６７の重複領域６８を除く部分に比べて加熱量を増大させることができる。
【００３８】
以上、説明した実施形態によれば、以下の作用効果を奏することができる。
（４）ＲＦ電極６１ａ，６１ｄ間に供給される電流による加熱領域６６と、ＲＦ電極６１ｂ，６１ｃ間に供給される電流による加熱領域６７とが重複して両線分６２，６３が交わる点を中心に重複領域６８が形成される。従って、皮膚において改善すべき部分を重複領域６８に位置させることで、その部分を重点的に加熱することができる。これにより、美容効果を高めることができる。
【００３９】
また、絶縁板６５は弾性変形可能であるとともに、Ｕ字状に湾曲している。このため、鼻等を絶縁板６５内に進入させた場合には、絶縁板６５は外側に弾性変形しつつ、ＲＦ電極６１ａ〜６１ｄが皮膚に接触した状態に良好に保たれる。これにより、ＲＦ電極６１ａ〜６１ｄと皮膚との接触面積の減少に伴う電流集中を抑制できる。
【００４０】
なお、上記実施形態は、これを適宜変更した以下の形態にて実施することができる。
・第３の実施形態においては、絶縁板６５内に鼻等が進入した場合、同絶縁板６５が外側に弾性変形しつつ、この弾性力によりＲＦ電極６１ａ〜６１ｄが皮膚に接触した状態を保っていた。しかし、エアバッグを設けて、エアバッグの膨張を通じてＲＦ電極６１ａ〜６１ｄと皮膚との接触面積を確保してもよい。具体的には、絶縁板６５に互いに対向する両内面にエアバッグを設ける。これらエアバッグの互いに対向する面にはＲＦ電極６１ａ〜６１ｄを設ける。エアバッグは膨張することで、ＲＦ電極６１ａ〜６１ｄを絶縁板６５内側に存在する皮膚に接触させる。従って、絶縁板６５の開口幅は施術対象より大きく設定される。このとき、エアバッグは皮膚の形状に応じて膨張するため、皮膚に凹凸がある場合であれ、ＲＦ電極６１ａ〜６１ｄと皮膚との接触面積を確保することができる。
【００４１】
・第１〜３の実施形態においては、各組のＲＦ電極に交互に高周波電流が供給されていた。しかし、各組のＲＦ電極に同時に高周波電流を供給してもよい。
・第１の実施形態においては、両線分２８，２９が直交して交わるように、各ＲＦ電極２１ａ〜２１ｄが配置されていた。しかし、両線分２８，２９は直交していなくてもよく、互いに中点において交わっていれば、最大深さＬにおいて重複領域３４を形成することができる。
【００４２】
・第３の実施形態においては、ＲＦ電極６１ａ〜６１ｄは、ＲＦ電極６１ａ及びＲＦ電極６１ｄを結ぶ線分６２と、ＲＦ電極６１ｂ及びＲＦ電極６１ｃを結ぶ線分６３とが交わる位置に配置されていた。しかし、両線分６２，６３に沿って供給される電流によって重複領域６８が形成される程度に両線分６２，６３が接近するのであれば、両線分６２，６３が交わる位置にＲＦ電極６１ａ〜６１ｄが配置されていなくてもよい。第１の実施形態においても、同様に両線分２８，２９が交わっていなくてもよい。
【００４３】
また、第３の実施形態において、各組の電極を絶縁板６５の同一側の内面に設けてもよい。例えば、ＲＦ電極６１ａ，６１ｄの組み合わせを絶縁板６５の右側の内面に配置し、ＲＦ電極６１ｂ，６１ｃの組み合わせを絶縁板６５の左側の内面に配置する。この場合であっても、ＲＦ電極の各組によって形成される加熱領域が重複することで重複領域が形成されて、特定の部分を重点的に加熱することができる。
【００４４】
・第３の実施形態においては、４つのＲＦ電極６１ａ〜６１ｄが設けられていた。しかし、第２の実施形態と同様に３つで２組のＲＦ電極が設けられていてもよい。
・第１の実施形態においては、最大深さＬにおいて重複領域３４が形成されていた。しかし、重複領域３４は最大深さＬ付近に形成されていなくてもよい。例えば、図４において、両ＲＦ電極２１ｃ，２１ａを線分２９に沿ってＲＦ電極２１ｄ側に移動させるとともに、ＲＦ電極２１ｃ，２１ａ間の距離をＲＦ電極２１ｂ，２１ｄ間の距離よりも小さく構成する。これにより、電流の経路２６，２７は、ＲＦ電極２１ｄ側における最大深さＬより浅い位置に重複領域３４が形成される。これにより、肌の特に改善すべき部分を重複領域３４内として重点的に加熱することで、美容効果を高めることができる。
【００４５】
・第１〜第３の実施形態においては、ＲＦ電極は２組で構成されていた。しかし、複数組であれば何組であってもよい。
・第１〜第３の実施形態においては、高周波電流を皮膚に供給していたが、低周波電流であってもよい。
【符号の説明】
【００４６】
１１…制御装置、２１ａ〜２１ｄ、４１ａ〜４１ｃ、６１ａ〜６１ｄ…ＲＦ電極、３３、６５…絶縁板。
【図１】
2011194177.tif 000003
【図２】
2011194177.tif 000004
【図３】
2011194177.tif 000005
【図４】
2011194177.tif 000006
【図５】
2011194177.tif 000007
【図６】
2011194177.tif 000008
【図７】
2011194177.tif 000009
【図８】
2011194177.tif 000010
【図９】
2011194177.tif 000011
【図１０】
2011194177.tif 000012
【図１１】
2011194177.tif 000013